(57)【要約】      （修正有）【課題】単純化した構造を有する接続アセンブリ及びバッテリー・モジュールを提供する。【解決手段】バッテリー・モジュール１００のための接続アセンブリは、ハウジング２０、第１のカバー・プレート３０及び第２カバー・プレート７０を有して成り、当該ハウジングは、ボディ２０Ａ及びボディから連続的に延在する突出部２０Ｂを有して成り、第１カバー・プレートはボディを覆い、第２カバー・プレートは第１カバー・プレートと一体化されるように配置され、第２カバー・プレートは閉位置と開位置との間で切り替えられるように第１カバー・プレートに対して移動可能であるようになっており、閉位置では、第２カバー・プレートが突出部を覆い、及び、開位置では、第２カバー・プレートが突出部から離れる。【選択図】図１
0003226491.tif 000002
【実用新案登録請求の範囲】
【請求項１】
バッテリー・モジュールのための接続アセンブリであって、
ハウジング（２０）、第１カバー・プレート（３０）及び第２カバー・プレート（７０）を有して成り、
ハウジング（２０）は、ボディ（２０Ａ）及びボディ（２０Ａ）から連続的に延在する突出部（２０Ｂ）を有して成り、
第１カバー・プレート（３０）はボディ（２０Ａ）を覆い、
第２カバー・プレート（７０）は第１カバー・プレート（３０）と一体化されるように設けられ、
第２カバー・プレート（７０）は、開位置と閉位置との間で切り替えられるように第１カバー・プレート（３０）に対して移動可能になっており、
閉位置で、第２カバー・プレート（７０）は突出部（２０Ｂ）を覆い、及び
開位置で、第２カバー・プレート（７０）が突出部（２０Ｂ）から離される、接続アセンブリ。
【請求項２】
第１カバー・プレート（３０）は屈曲可能な部分（７２）を介して第２カバー・プレート（７０）に接続されており、及び
屈曲可能な部分（７２）により、第２カバー・プレート（７０）が第１カバー・プレート（３０）に対して回転可能になっている、請求項１に記載のバッテリー・モジュールのための接続アセンブリ。
【請求項３】
第２カバー・プレート（７０）が閉位置から開位置へと移されるように、屈曲可能な部分（７２）は屈曲され、それによって変形される、請求項２に記載のバッテリー・モジュールのための接続アセンブリ。
【請求項４】
第２カバー・プレート（７０）が開位置から閉位置へと移ることを促すために、屈曲可能な部分（７２）は、復元力を生じさせるように弾性的に変形される、請求項３に記載のバッテリー・モジュールのための接続アセンブリ。
【請求項５】
屈曲可能な部分（７２）はシート形状であり、屈曲可能な部分（７２）は第１カバー・プレート（３０）の厚みより小さい厚みを有する、請求項２に記載のバッテリー・モジュールのための接続アセンブリ。
【請求項６】
開位置での第２カバー・プレート（７０）と閉位置での第２カバー・プレート（７０）との間に鈍角が形成される、請求項２に記載のバッテリー・モジュールのための接続アセンブリ。
【請求項７】
第２カバー・プレート（７０）はカバー・プレート・ボディ（７１）及び延在部（７４）を有し、該延在部（７４）はカバー・プレートボディ（７１）から連続的に延在し、自由端（７５）を形成するためにカバー・プレートボディ（７１）をこえるように突き出しており、及び  
開位置で、延在部（７４）の自由端（７５）は止め部を形成するために突出部（２０Ｂ）に対して当接する、請求項６に記載のバッテリー・モジュールのための接続アセンブリ。
【請求項８】
開位置で、延在部（７４）の自由端（７５）は屈曲可能な部分をこえて延在するように配置される、請求項７に記載のバッテリー・モジュールのための接続アセンブリ。
【請求項９】
閉位置から開位置への第２カバー・プレート（７０）の回転の間、第２カバー・プレート（７０）が第１カバー・プレート（３０）に対して垂直である際に、延在部（７４）は突出部（２０Ｂ）に対して当接する、請求項７に記載のバッテリー・モジュールのための接続アセンブリ。
【請求項１０】
突出部（２０Ｂ）には底壁（２００）と底壁（２００）から突き出るように配置された環状側壁（２０１）が供され、底壁（２００）及び環状側壁（２０１）は収容キャビティ（２８）を規定し、開口部（２７）が底壁（２００）から離れた収容キャビティ（２８）の一方の側に供され、及び
閉位置で、第２カバー・プレート（７０）は開口部（２７）を少なくとも部分的に覆い、環状側壁（２０１）は延在部（７４）のための止め部を形成する、請求項７に記載のバッテリー・モジュールのための接続アセンブリ。
【請求項１１】
第２カバー・プレート（７０）は、外力により押された際、開位置から閉位置へと回転可能となっている、請求項１０に記載のバッテリー・モジュールのための接続アセンブリ。
【請求項１２】
保持部分（７８）が、第２カバー・プレート（７０）の内側表面（７００）から突き出るように配置され、及び
閉位置で、第２カバー・プレート（７０）は開口部（２７）を覆い、環状側壁（２０１）は、第２カバー・プレート（７０）が横方向へ動くことを防ぐために保持部分（７８）のための止め部を形成する、請求項１０に記載のバッテリー・モジュールのための接続アセンブリ。
【請求項１３】
閉位置で、第２カバー・プレート（７０）は、第２カバー・プレート（７０）がハウジング（２０）から離れることを防ぐために、スナップフィット方式で突出部（２０Ｂ）に接続される、請求項７に記載のバッテリー・モジュールのための接続アセンブリ。
【請求項１４】
第１スナップ式留め具（２１）が突出部（２０Ｂ）の外側表面に配置され、
第２カバー・プレート（７０）にはスナップフィット・アーム（７６）が突き出るように供され、該スナップフィット・アーム（７６）には第２スナップ式留め具（７７）が供され、
開位置で、第１スナップ式留め具（２１）が第２スナップ式留め具（７７）から離れ、及び、
閉位置で、スナップフィット・アーム（７６）がハウジング（２０）の一方の側に位置づけられ、第１スナップ式留め具（２１）は、第２カバー・プレート（７０）が突出部（２０Ｂ）から離れることを防ぐために第２スナップ式留め具（７７）とスナップフィット方式で係合される、請求項１３に記載のバッテリー・モジュールのための接続アセンブリ。
【請求項１５】
第１カバー・プレート（３０）及び第２カバー・プレート（７０）は単一部品として一体的に成形される、請求項１に記載のバッテリー・モジュールのための接続アセンブリ。
【請求項１６】
バッテリー・モジュールであって、
複数のセル（１０）；及び
請求項１〜１５のいずれかに記載の接続アセンブリ
を有して成り、
ハウジング（２０）は複数のセル（１０）上に配置され、及び
複数のセル（１０）はバッテリー・モジュールを形成するために前記接続アセンブリを介して電気的に接続される、バッテリー・モジュール。
【請求項１７】
導電性アセンブリをさらに有して成り、
導電性アセンブリはハウジング（２０）内に配置され、
第１カバー・プレート（３０）はボディ（２０Ａ）内の導電性アセンブリの一部を覆い、及び
第２カバー・プレート（７０）は突出部（２０Ｂ）内の導電性アセンブリの残りの部分を覆う、請求項１６に記載のバッテリー・モジュール。
【請求項１８】
突出部（２０Ｂ）には収容キャビティ（２８）が供され、
開位置では、第２カバー・プレート（７０）は突出部（２０Ｂ）から離されて、収容キャビティ（２８）は開かれ、及び
閉位置では、第２カバー・プレート（７０）は突出部（２０Ｂ）を覆い、収容キャビティ（２８）を覆う、請求項１７に記載のバッテリー・モジュール。
【請求項１９】
導電性アセンブリはバスバー（５０）を有して成り、該バスバー（５０）はボディ（２０Ａ）に固定して支持され、及び
バスバー（５０）はセル（１０）に電気的に接続される、請求項１７に記載のバッテリー・モジュール。
【請求項２０】
導電性アセンブリは、電源端子（６０）及び外部接続部材（６１）を有して成り、
突出部（２０Ｂ）には収容キャビティ（２８）が供され、
電源端子（６０）は、収容キャビティ（２８）内に配置され、複数のセル（１０）に電気的に接続され、及び
外部接続部材（６１）は、バッテリー・モジュールと電気的に接続するために突出部（２０Ｂ）の外側へ延在する、請求項１９に記載のバッテリー・モジュール。
【請求項２１】
導電性アセンブリは、電気接続部材（５５）をさらに有して成り、及び
電源端子（６０）は電気接続部材（５５）を介してバスバー（５０）に電気的に接続される、請求項２０に記載のバッテリー・モジュール。
【請求項２２】
バッテリー・モジュールは電気自動車で使用するためのバッテリー・モジュールである、請求項１６に記載のバッテリー・モジュール。
【考案の詳細な説明】
【技術分野】
【０００１】
本出願はバッテリー・モジュールのための接続アセンブリ、及びバッテリー・モジュールに関する。
【背景技術】
【０００２】
既存バッテリー・モジュールは、セル、ハウジング、第１カバー・プレート、第２カバー・プレート及び導電性アセンブリ（conductive assembly）を一般的に有して成る。複数のセルが供され、直列又は並列に電気的に接続される。ハウジングは複数のセルに配置される。第１カバー・プレート及び第２カバー・プレートは２つの個々に独立して配置される部品であり、高電圧保護を実行（又は満たす;implement）するためのハウジングを覆うように各々なっている
【０００３】
第２カバー・プレートがハウジングを覆う際に収容キャビティが規定される。収容キャビティは導電性アセンブリを収容し取り付けるために使用される。導電性アセンブリは収容キャビティの中へ電気的に接続される必要がある。例えば、導電性アセンブリは正極端子（又は正端子;positive terminal）、負極端子（又は負端子;negative terminal）、電気接続部材及びバスバーを有して成る。バスバーはセルに電気的に接続される。正極端子及び負極端子は電気接続部材を介してバスバーに電気的に接続される必要がある。特定の組立プロセスにおいて、第１カバー・プレート及び第２カバー・プレートはハウジングを覆う。導電性アセンブリは電気的に接続される必要がある際に、第２カバー・プレートはハウジングから分解され、次いで導電性アセンブリに電気的に接続される。その後、第２カバー・プレート及びハウジングが再び共に取り付けられる。第１カバー・プレート及び第２カバー・プレートは２つの完全に独立した部材であり、高電圧保護のためのパーツ数はより多くなる。第２カバー・プレート及びハウジングの分解並びに組立工程は複雑である。
【考案の概要】
【０００４】
本出願の目的の一つは、バッテリー・モジュールのために単純化（又は簡略化;simplified）した構造を有する接続アセンブリ及び先行技術における不備（又は欠陥;deficiency）の少なくとも一つを解消するためのバッテリー・モジュールを供することである。
【０００５】
本出願の一態様によると、バッテリー・モジュールのための接続アセンブリが供される。接続アセンブリは、ハウジング、第１カバー・プレート及び第２カバー・プレートを有して成り（又は含み;comprise）、
当該ハウジングはボディ及びボディから連続的に（又は繋がって;continuously）延在する突出部（又は凸部、又は突起物;protrusion）を有して成り、
第１カバー・プレートはボディを覆い、
第２カバー・プレートは第１カバー・プレートと一体化される（又は統合される;integrate）ように配置され、
第２カバー・プレートは、閉位置（又は閉状態;closed position）と開位置（又は開状態;open position）との間で切り替えられるように第１カバー・プレートに対して移動可能になっており、
閉位置で、第２カバー・プレートは突出部を覆い、及び
開位置で、第２カバー・プレートが突出部から離れる、
接続アセンブリ。
【０００６】
上記接続アセンブリのある実施形態において、第１カバー・プレートは屈曲可能な部分を介して第２カバー・プレートに相互接続されており、及び当該屈曲可能な部分は第２カバー・プレートが第１カバー・プレートに対して回転可能になっている。接続アセンブリの一実施形態では、第２カバー・プレートが閉位置から開位置へと移されるように、屈曲可能な部分は屈曲され、それによって変形される（又は移動する；move）。追加又は代替として、第２カバー・プレートが開位置から閉位置へと移ることを促すために、屈曲可能な部分は、復元力（又は弾性の力、又は反発する力、又は元に戻る力；resilient force）を生じさせるように弾性的に変形される。接続アセンブリの別の実施形態では、屈曲可能な部分はシート形状であり、屈曲可能な部分は第１カバー・プレートの厚みより小さい（又は薄い;small）厚みを有する。接続アセンブリの他の実施形態では、開位置での第２カバー・プレートと閉位置での第２カバー・プレートとの間に、鈍角が形成される。
追加又は代替として、第２カバー・プレートはカバー・プレート・ボディ及び延在部（又は伸長部又は外延部;extension）を有し、当該延在部はカバー・プレート・ボディから連続的に延在し、自由端を形成するためにカバー・プレート体から越えて突き出しており、及び開位置で延在部の自由端は止め部（又は停止部;stop）を形成するために突出物に対して当接する。代替の実施形態では、開位置で、延在部の自由端は屈曲可能な部分をこえて延在するように配置される。別の代替の実施形態では、閉位置から開位置への第２カバー・プレートの回転の間、第２カバー・プレートが第１カバー・プレートに対して垂直である際に、延在部は突出部に対して当接する。他のある実施形態では、突出部には底壁と、底壁から突き出るように配置されている環状側壁が供され、底壁及び環状側壁は収容キャビティを規定し、開口部が底壁から離れた収容キャビティの一方の側に供され、及び閉位置で、第２カバー・プレートは開口部を少なくとも部分的に覆い、環状側壁は延在部のための止め部を形成する。追加又は代替として、第２カバー・プレートは、外力により押された際、開位置から閉位置へと回転可能となっている。代替として、保持部分が、第２カバー・プレートの内側表面から突き出るように配置され、及び、閉位置で、第２カバー・プレートは開口部を覆い、環状側壁は、第２カバー・プレートが横方向へ動くことを防ぐために保持部分のための止め部を形成する。さらに他の実施形態では、閉位置で、第２カバー・プレートは、第２カバー・プレートがハウジングから離れることを防ぐために、スナップフィット方式で突出部に接続される。追加又は代替として、第１スナップ式留め具が突出部の外側表面に配置され、第２カバー・プレートにはスナップ-フィット・アームが突き出るように供され、当該スナップ・フィット・アームには第２スナップ式留め具が供され、開位置で、第１スナップ式留め具が第２スナップ式留め具から離れ、及び閉位置で、スナップ-フィット・アームがハウジングの一方の側に位置づけられ、第１スナップ式留め具が、２カバー・プレートが突出部から離れることを防ぐために第２スナップ式留め具とスナップフィット方式で係合される。
【０００７】
上記の接続アセンブリの他の実施形態では、第１カバー・プレート及び第２カバー・プレートは単一部品として一体的に成形される。
【０００８】
本出願の他の態様によると、バッテリー・モジュールが供される。バッテリー・モジュールは、複数のセル、上記接続アセンブリを有して成り、ハウジングは複数のセル上に配置され、及び複数のセルはバッテリー・モジュールを形成するために接続アセンブリを介して電気的に接続される。
【０００９】
ある実施形態では、バッテリー・モジュールは、導電性アセンブリをさらに有して成り、当該導電性アセンブリはハウジング内に配置され、第１カバー・プレートはボディ内の導電性アセンブリの一部を覆い、及び第２カバー・プレートは突出部中の導電性アセンブリの残りの部分を覆う。
追加又は代替として、突出部には収容キャビティが供され、開位置では、第２カバー・プレートは突出部から離されて、収容キャビティは開かれ、及び閉位置では第２カバー・プレートは突出部を覆い、収容キャビティを覆う。
別の実施形態では、導電性アセンブリは、バスバーを有して成り、当該バスバーはボディに固定して支持され、及びセルに電気的に接続される。
さらに別の実施形態では、導電性アセンブリは電源端子及び外部接続部材を有して成り、突出部には収容キャビティが供され、電源端子は収容キャビティ内に配置され、複数のセルに電気的に接続され、及び外部接続部材はバッテリー・モジュールと電気的に接続するために突出部の外へ延在する。
追加又は代替では、導電性アセンブリは、電気接続部材をさらに有して成り、電源端子は電気接続部材を介してバスバーに電気的に接続される。
いくつかの他の実施形態では、バッテリー・モジュールは電気自動車で使用するためのバッテリー・モジュールである。
【００１０】
先行技術と比較して、本出願の実施形態で供されるバッテリー・モジュールのための接続アセンブリ及びバッテリー・モジュールにおいて、ハウジングはボディ及びボディから連続的に延在する突出部を有して成る。第１カバー・プレートはボディを覆い、第２カバー・プレートは第１カバー・プレートに対し、移動可能に接続され、開位置と閉位置との間を切り替えることができる。開位置で、導電性アセンブリはハウジング内で電気的に接続されるように、第２カバー・プレートは突出部から離れる。閉位置で、ハウジング内の導電性アセンブリは絶縁され保護することができるように、第２カバー・プレートは突出部を覆う。
【００１１】
第２カバー・プレートは、閉位置と開位置との間の切り替えを容易にするために第１カバー・プレートに対して動けるようになっており、結果として接続アセンブリ及びバッテリー・モジュールの分解並びに組立工程が単純化される。
【００１２】
第２カバー・プレートは第１カバー・プレートと一体化になるように配置され、結果として接続アセンブリ及びバッテリー・モジュールのパーツ数は減少する。
【００１３】
本出願の実施形態の一例を添付の図面を参照にして詳細に下記で説明し、本出願のさらなる特徴及び利点が明らかとなる。
【図面の簡単な説明】
【００１４】
【図１】図１は、本出願の一実施形態によるバッテリー・モジュールの構造概略図である。
【００１５】
【図２】図２は、図１におけるバッテリー・モジュールのパーツの分解図である。
【００１６】
【図３】図３は、図２のバッテリー・モジュールにおけるカバー・プレートの、別の角度からみた構造概略図である。
【００１７】
【図４】図４は、図３におけるＳでの拡大概略図である。
【００１８】
【図５】図５は、図１の上面図である。
【００１９】
【図６】図６は、図５におけるＡ−Ａ方向における断面図である。
【００２０】
【図７】図７は、図６におけるＢでの拡大概略図である。
【００２１】
【図８】図８は、開位置における図１中のバッテリー・モジュールの第２カバー・プレートを伴う拡大概略図である。
【００２２】
【図９】図９は、図８の上面図である。
【００２３】
【図１０】図１０は、図９中のＣ−Ｃ方向における断面図である。
【００２４】
【図１１】図１１は、図１０中のＤでの拡大概略図である。
【００２５】
【図１２】図１２は、互いに垂直である、図１中のバッテリー・モジュールの第２カバー・プレート及び第１カバー・プレートを伴う構造概略図である。
【００２６】
【図１３】図１３は、図１２の上面図である。
【００２７】
【図１４】図１４は、図１３中のＥ−Ｅ方向における断面図である。
【００２８】
【図１５】図１５は、図１４中のＦでの拡大概略図である。
【考案を実施するための形態】
【００２９】
本出願を添付の図面を参照にして詳細に下記にてさらに説明する。
【００３０】
図１及び図２は本願の一実施形態によるバッテリー・モジュール１００を示す。バッテリー・モジュール１００は接続アセンブリ及びセル１０を有して成る。複数のセル１０が供される。複数のセル１０はスタック中に配置される。複数のセル１０は、バッテリー・モジュールを形成するために、接続アセンブリを介して電気的に接続される。例えば、複数のセル１０の各々は正極電極及び負極電極を有する。セル１０の正極電極及び負極電極には、それぞれ、接続端子と接続するための正極端子及び負極端子が供され得る。
【００３１】
接続アセンブリはハウジング２０、第１カバー・プレート３０及び第２カバー・プレート７０を有して成る。導電性アセンブリはハウジング２０内に配置される。ハウジング２０には複数のセル１０が配置される。ハウジング２０はボディ２０Ａ及びボディ２０Ａから連続的に延在する突出部２０Ｂを有して成る。突出部２０Ｂは収容キャビティ２８を規定する。収容キャビティ２８は外部に接続するための開口部２７を有する。
【００３２】
第１カバー・プレート３０はハウジング２０のボディ２０Ａを覆い、ボディ２０Ａ中の導電性アセンブリの一部を覆い得る。例えば、第１カバー・プレート３０は、スナップ−フィット方式又は他の方法でハウジング２０に接続され得る。第１カバー・プレート３０及びハウジング２０は収容キャビティを規定し得る。
【００３３】
第２カバー・プレート７０は第１カバー・プレート３０と一体化されるように配置される。第１カバー・プレート３０及び第２カバー・プレート７０は１つのカバー・プレートへと一体的に配置される。当該カバー・プレートは単一の部品として一体化される。好ましくは、第１カバー・プレート３０及び第２カバー・プレート７０は単一部品として一体的に成形され得る。
【００３４】
第１カバー・プレート３０に対する第２カバー・プレート７０の位置は対応して変化することができるように、第２カバー・プレート７０は第１カバー・プレート３０に対して移動可能である。図３及び図４を参照すると、第２カバー・プレート７０が第１カバー・プレート３０に対して移動可能にするために、第１カバー・プレート３０は屈曲可能な部分７２を介して第２カバー・プレート７０と相互接続される。第２カバー・プレート７０の一方は、屈曲可能な部分７２を介して第１カバー・プレート３０に接続され、第２カバー・プレート７０の他方は、垂れ下がるように配置される。例えば、第１カバー・プレート３０、屈曲可能な部分７２及び第２カバー・プレート７０は他の既存技術によって一体的に成形又は一体的に配置され得る。屈曲可能な部分７２は第１カバー・プレート３０を第２カバー・プレート７０と回転可能に接続する。屈曲可能な部分７２は、第２カバー・プレート７０が第１カバー・プレート３０に対して動けるようにするために、第１カバー・プレート３０より少なくともより変形しやすい。
【００３５】
本実施形態において、屈曲可能な部分７２はシート形状である。屈曲可能な部分７２は、第１カバー・プレート３０の厚みより小さい厚みを有する。第２カバー・プレート７０及び第１カバー・プレート３０と比較して、屈曲可能な部分７２はより小さな厚みのリーフ-スプリング形状（又は板バネ形状;leaf spring-shaped）の構造を有し、より良好な弾性変形能力を有する。屈曲可能な部分７２は、第２カバー・プレート７０が第１カバー・プレート３０に対して回転可能にするために、屈曲可能な部分７２の厚み方向に曲げることができそれによって弾性的に変形され得る。
【００３６】
第１カバー・プレート３０に対する第２カバー・プレート７０の異なる特定の位置によると、第２カバー・プレート７０は閉位置と開位置を有する。移動の間、第２カバー・プレート７０は閉位置と開位置との間で切り替えられ得る。
【００３７】
図５及び図７を参照すると、第２カバー・プレート７０が閉位置の際、第２カバー・プレート７０は突出部２０Ｂを覆い、第２カバー・プレート７０は収容キャビティ２８を覆い、突出部２０Ｂ中の導電性アセンブリの残りの部分を覆う。この場合において、開口部２７は第２カバー・プレート７０によってブロック（又は封鎖；block）される。第２カバー・プレート７０は、収容キャビティ２８内の導電性アセンブリの残りの部分を絶縁することができる。
【００３８】
図８〜図１１を参照すると、第２カバー・プレート７０が開位置にある際に、第２カバー・プレート７０は収容キャビティ２８を開くために突出部２０Ｂから離れる。この場合、開口部２７は第２カバー・プレート７０によってブロックされず、収容キャビティ２８内に導電性アセンブリを配置するために使用され得て、開口部２７を介して収容キャビティ２８内に導電性アセンブリを電気的に接続するために使用され得る。
【００３９】
開位置での第２カバー・プレート７０と閉位置での第２カバー・プレート７０との間で鈍角が形成され得る。閉位置から開位置へと第２カバー・プレート７０の移動の間、第２カバー・プレート７０は第１カバー・プレート３０に対して垂直になるように回転する。
【００４０】
第２カバー・プレート７０が第１カバー・プレート３０に対して回転可能である角度は、必要に応じて具体的に設定され得る。屈曲可能な部分７２の数は、角度に基づいて対応して設定され得る。
【００４１】
第２カバー・プレート７０が開位置にある際に、屈曲可能な部分７２は曲げられている状態であり、それによって弾性的に変形される。この場合、第２カバー・プレート７０と第１カバー・プレート３０との間に夾角が必要に応じて具体的に設定され得る。この実施形態において、第２カバー・プレート７０と第１カバー・プレート３０との間に鋭角が形成され得る。鋭角は必要に応じて選択される。
【００４２】
第２カバー・プレート７０が閉位置にある際に、屈曲可能な部分７２は変形せず、リセット状態である。第２カバー・プレート７０が閉位置である際に、第２カバー・プレート７０と第１カバー・プレート３０との間の夾角は、ボディ２０Ａと突出部２０Ｂとの間の位置関係により、具体的に設定され得る。例えば、開口部２７は、水平に配置され得て、第２カバー・プレート７０が閉位置である際に、１８０°の夾角が第２カバー・プレート７０と第１カバー・プレート３０との間に形成され得る。別の例では、開口部２７は一方の側の方に傾くように配置され得て、第２カバー・プレート７０が閉位置である際に、１８０°の夾角は第２カバー・プレート７０と第１カバー・プレート３０との間に形成され得ない。
【００４３】
第２カバー・プレート７０は閉位置から開位置へと移動（又は変化;move）することができるように、屈曲可能な部分７２が曲げられるようにするために外力が加えられ、それにより変形する。屈曲可能な部分７２は弾性的に変形され、復元力が生じる。加えられた外力がなくなる際、屈曲可能な部分７２により生じさせた復元力が、第２カバー・プレート７０を開位置から閉位置へと移動することを促し得る。
【００４４】
第２カバー・プレート７０が開位置から閉位置へとリセットされることを防ぐため、好ましくは、第２カバー・プレート７０はカバー・プレート・ボディ７１及び延在部７４を有する。延在部７４はカバー・プレート・ボディ７１から連続的に延在するように配置され、垂れ下がって配置される自由端７５を形成するためにカバー・プレート・ボディ７１をこえて突出する。図８で示すように、第２カバー・プレート７０は開位置である際に、延在部７４の自由端７５は突出部２０Ｂに対して当接する。この場合、第２カバー・プレート７０が開位置で固定されるように、突出部２０Ｂは、屈曲可能な部分７２が弾性的に変形される際に生じる復元力に打ち勝つために、延在部７４のための止め部を形成する。
【００４５】
図１１に示すように、第２カバー・プレート７０が開位置である際に、延在部７４の自由端７５は屈曲可能な部分を越えて延在するように配置される。第２カバー・プレート７０が開位置の際、延在部７４の自由端７５は突出部２０Ｂに対して当接する。この場合、鋭角がカバー・プレート・ボディ７１と延在部７４と第１カバー・プレート３０との間に形成され得る。
【００４６】
図１２から図１５を参照すると、閉位置から開位置へと第２カバー・プレート７０の移動の間、第２カバー・プレート７０は第１カバー・プレート３０に対して垂直になるよう回転する。この場合、屈曲可能な部分７２は屈曲状態になるように、延在部７４は突出部２０Ｂに対して当接する。図８から図１１で示すように、第２カバー・プレート７０は開位置へと回転し続け、第２カバー・プレート７０は、第２カバー・プレート７０が閉位置に到達するまで、９０°以上回転する。この場合、延在部７４の自由端７５は突出部２０Ｂに対して当接し、突出部２０Ｂは、屈曲可能な部分７２が弾性的に変形される際に生じる復元力に打ち勝つために、延在部７４のための止め部を形成し、結果として第２カバー・プレート７０は開位置に固定される。加えられる外力により押されていない際、第２カバー・プレート７０は開位置で停止し、屈曲可能な部分７２の復元力の下で閉位置にリセットできない。外力が第２カバー・プレートを押すために加えられる際、例えば、第２カバー・プレート７０と第１カバー・プレート３０との間で鋭角が形成されるまで第２カバー・プレート７０が回転される際、第２カバー・プレート７０は屈曲可能な部分７２の復元力のみで、閉位置へ自動的にリセットすることができる。
【００４７】
第２カバー・プレート７０が開位置であり、導電性アセンブリが収容キャビティ２８内で電気的に接続されることができる。導電性アセンブリが収容キャビティ２８内で電気的に接続された後、第２カバー・プレート７０が開口部２７を少なくとも部分的に覆うことができるようにするために、外力が第２カバー・プレート７０に加えられ、結果として、第２カバー・プレート７０は開位置から閉位置へと移動し、そのため、収容キャビティ２８内の導電性アセンブリが絶縁することができる。
【００４８】
閉位置での第２カバー・プレート７０が突出部２０Ｂから離れることを防ぐために、第２カバー・プレート７０は突出部２０Ｂに着脱可能に接続される。好ましくは、図１に示すように、第２カバー・プレート７０が閉位置の際に、第２カバー・プレート７０はハウジング２０から離れることを防ぐことができるように、第２カバー・プレート７０はスナップ−フィット方式で突出部２０Ｂに接続される。好ましくは、図２及び図４で示すように、第１スナップ式留め具２１が突出部２０Ｂの外側表面に配置される。第２カバー・プレート７０の厚み方向に向かう第２カバー・プレート７０の一方の側には、突出するスナップ-フィット・アーム７６が供される。スナップ-フィット・アーム７６には、第２スナップ式留め具７７が供される。第２カバー・プレート７０は開位置にある際に、第２カバー・プレート７０は突出部２０Ｂから離れ、第１スナップ式留め具２１は突出部２０Ｂから離れ、第２スナップ式留め具７７とスナップ-フィットされない。第２カバー・プレート７０が閉位置にある際、スナップ-フィット・アーム７６はハウジング２０の一方の側に位置づけられ、第１スナップ式留め具２１は第２スナップ式留め具７７とスナップフィット方式で係合され、第１スナップ式留め具２１は第２スナップ式留め具７７を止め、その結果、第２カバー・プレート７０は突出部２０Ｂから離れることを防ぐことができるようになる。
【００４９】
ハウジング２０の形状構造は必要に応じて具体的に設定され得る。本実施形態において、図８で示すように、突出部２０Ｂには底壁２００及び底壁２００から突出するように配置される環状側壁２０１が供される。底壁２００及び環状側壁２０１は収容キャビティ２８を規定する。環状側壁２０１の一方の側は底壁２００によりブロックされる。底壁２００から離れている環状側壁２０１の他方側はブロックされず、開口部２７は他方側に形成される。第２カバー・プレート７０は閉位置にある際に、環状側壁２０１は延在部７４の自由端７５のために止め部を形成し、第２カバー・プレート７０は開口部２７を少なくとも部分的に覆う・
【００５０】
閉位置での第２カバー・プレート７０がハウジング２０内で横方向に揺れることを防ぐために、本実施形態において、図８で示すように、保持部分７８が第２カバー・プレート７０の内側表面７００から突出して配置される。第２カバー・プレート７０が閉位置にある際に、第２カバー・プレート７０は開口部２７を覆い、環状側壁２０１は第２カバー・プレート７０が横方向に動くことを防ぐための保持部分７８のために横方向の止め部を形成する。
【００５１】
本実施形態において、図２に示すように、導電性アセンブリはバスバー５０を有して成る。バスバー５０はボディ２０Ａに固定して支持される。バスバー５０は電気的にセル１０に接続され、複数のセル１０が直列又は並列に電気的に接続される。
【００５２】
導電性アセンブリは、電源端子６０及び外部接続部材６１をさらに有して成る。外部接続部材６１及び電源端子６０は単一部材として一体的に形成され、又は組み立てられ電気的に一体として接続される。電源端子６０は収容キャビティ２８内に配置され、複数のセル１０に電気的に接続される。外部接続部材６１は、バッテリー・モジュールに電力を供給するために、バッテリー・モジュールを電気的に接続するための突出部２０Ｂの外に延在する。
【００５３】
電源端子６０及びセル１０を電気的に接続するために、導電性アセンブリは電気接続部材５５をさらに有して成る。電源端子６０は電気接続部材５５及びバスバー５０を介してセル１０を電気的に接続することができるように、電源端子６０は電気接続部材５５を介してバスバー５０に電気的に接続される。バスバー５０に電源端子６０を電気的に接続する電気接続部材５５は複数の特定構造を有し得る。例として、電気接続部材５５は導電性ネジ（又はスクリュー;screw）を有して成り得る。電源端子６０及びバスバー５０は、電気的接続を可能とするために導電性ネジ上にスリーブされ得る。
【００５４】
バッテリー・モジュール１００は充放電することができ、繰り返し使用される。バッテリー・モジュール１００は高電圧電気信号を有して成り得る。接続アセンブリは、接続アセンブリ中の電源端子６０、バスバー５０等を有して成る導電性アセンブリを絶縁することができる。この実施形態におけるバッテリー・モジュール１００は電気自動車に電力を供給するために適し得る。
【００５５】
本出願の実施形態で供されるバッテリー・モジュールのためのハウジング及びバッテリー・モジュールにおいて、ハウジング２０はボディ２０Ａ及びボディ２０Ａから連続的に延在する突出部２０Ｂを有して成る。第１カバー・プレート３０はハウジング２０のボディ２０Ａを覆う。第２カバー・プレート７０は第１カバー・プレート３０に移動可能に接続され、開位置と閉位置との間を切り替えられることができる。開位置にて、導電性アセンブリはハウジング２０内で電気的に接続されるように、第２カバー・プレート７０はハウジング２０の突出部２０Ｂから離れる。閉位置にて、ハウジング２０内の導電性アセンブリは絶縁されることができるように、第２カバー・プレート７０は突出部２０Ｂを覆う。接続アセンブリ及びバッテリー・モジュール中のパーツの数は減少することができるように、第２カバー・プレート７０は第１カバー・プレート３０と一体化されるように配置される。接続アセンブリ及びバッテリー・モジュールは都合よく組み立て及び分解することができるように、第２カバー・プレート７０は第１カバー・プレート３０に対して移動可能であり、閉位置と開位置との間を便利に切り替えられることができる。
【００５６】
上記内容は、本出願の好ましい実施形態にすぎず、本出願の範囲を制限することを意図するものではない。本出願の精神の範囲内の任意の修正、同等物又は改良は、本出願の特許請求の範囲内に包含されるものとする。
【符号の説明】
【００５７】
１００：バッテリー・モジュール
１０：セル
２０：ハウジング
２０Ａ：ボディ
２０Ｂ：突出部
２００：底壁
２０１：環状側壁
２１：第１スナップ式留め具
２７：開口部
２８：収容キャビティ
３０：第１カバー・プレート
５０：バスバー
５５：電気接続部材
６０：電源端子
６１：外部接続部材
７０：第２カバー・プレート
７００：内部表面
７１：カバー・プレート・ボディ
７２：屈曲可能な部分
７４：延在部
７５：自由端
７６：スナップ-フィット・アーム
７７：第２スナップ式留め具
７８：保持部分
【図１】
0003226491.tif 000003
【図２】
0003226491.tif 000004
【図３】
0003226491.tif 000005
【図４】
0003226491.tif 000006
【図５】
0003226491.tif 000007
【図６】
0003226491.tif 000008
【図７】
0003226491.tif 000009
【図８】
0003226491.tif 000010
【図９】
0003226491.tif 000011
【図１０】
0003226491.tif 000012
【図１１】
0003226491.tif 000013
【図１２】
0003226491.tif 000014
【図１３】
0003226491.tif 000015
【図１４】
0003226491.tif 000016
【図１５】
0003226491.tif 000017